(57)【特許請求の範囲】
【請求項１】
上面に配線パターンとスイッチ接点が形成され、位置決め孔およびネジの外径よりも大きなネジ用孔を有する第一の配線基板と、操作部の下面に上記スイッチ接点を押圧する突起部を有する可動部を連結した枠体部の上面および下面に位置決めボスを備えると共に、下面の位置決めボスが上記第一の配線基板の位置決め孔に挿入されて第一の配線基板の上部に配置された絶縁樹脂製のボタン体と、上面に上記ボタン体の操作部が突出した開口孔と上記ボタン体上面の位置決めボスが挿入された位置決め孔、およびネジ孔を備えて上記ボタン体を覆う金属板製のカバーと、上記第一の配線基板のネジ用孔に挿入されて上記カバーのネジ孔に締め付けられ、上記第一の配線基板とボタン体をカバーに固定するネジからなるパネルスイッチであって、位置決め孔およびネジの外径よりも大きなネジ用孔を備えた第二の配線基板を、上記第一の配線基板の側方の上記カバー下面に配置すると共に、上記ボタン体の枠体部の下面および上面に設けた位置決めボスを、上記第二の配線基板の位置決め孔および上記カバーの位置決め孔へ各々挿入し、上記第二の配線基板のネジ用孔に挿入されたネジを、上記カバーに設けたネジ孔に締め付けたパネルスイッチ。
【請求項２】
ボタン体の枠体部上下面の少なくとも一方の位置決めボスを、根元部に比べ先端部を細径のものとした請求項１記載のパネルスイッチ。
【請求項３】
ボタン体の枠体部下面の位置決めボスで配線基板の位置を決めると共に、カバー側面の下端に設けられた配線基板固定用の略Ｌ字形または逆Ｔ字形の爪部で配線基板を挟みつけることにより、少ないネジ数で配線基板とボタン体をカバーに固定した請求項１または２記載のパネルスイッチ。
【請求項４】
請求項１〜３のいずれか一つに記載のパネルスイッチの、ボタン体の枠体部上面の位置決めボスを、カバー上面から突出させ、この上面に突出した位置決めボスを機器の筐体下面に設けた窪みに挿入して、パネルスイッチと機器との位置決めを行うパネルスイッチの機器への装着方法。
【発明の詳細な説明】
【０００１】
【発明の属する技術分野】
本発明は、ビデオ、オーディオやファクシミリ、複写機、プリンタ等の、各種電子機器に使用されるパネルスイッチおよびその機器への装着方法に関するものである。
【０００２】
【従来の技術】
従来の技術について、図９〜図１４を用いて説明する。
【０００３】
なお、各断面図は、各々の部品の構成や間隙等が判り易い箇所を断面として表わしている。
【０００４】
図９は従来のパネルスイッチの側面断面図、図１０は同分解斜視図であり、同図において、１は上面に配線パターン１Ａや複数の中央固定接点１Ｂおよび外側固定接点１Ｃが形成された第一の配線基板、２は弾性金属薄板製のドーム状の可動接点、３は下面に粘着剤が塗布された絶縁フィルムで、可動接点２は外周が外側固定接点１Ｃ上に載置され、中央頂点部の内面が中央固定接点１Ｂに対向するように、絶縁フィルム３によって第一の配線基板１に貼り付けられている。
【０００５】
そして、４は絶縁樹脂製のボタン体で、操作部４Ａの下面に可動接点２を押圧する突起部４Ｂを備えた複数の可動部４Ｃが枠体部４Ｄに連結され、この枠体部４Ｄの下面に設けられた複数の位置決めボス４Ｅを、第一の配線基板１の複数の位置決め孔１Ｄに挿入することにより、ボタン体４が第一の配線基板１に位置決めされている。
【０００６】
また、５は金属板製のカバー、６はネジで、カバー５の上面には複数の開口孔５Ａと開口部５Ｂおよびネジ孔５Ｃが設けられ、ボタン体４の複数の操作部４Ａがカバー５の開口孔５Ａから突出すると共に、ネジ６が第一の配線基板１の裏側からネジ用孔１Ｅに挿入され、ボタン体４の切り欠き４Ｆを挿通し、カバー５のネジ孔５Ｃに締め付けられて、カバー５がボタン体４を覆い第一の配線基板１に固定されている。
【０００７】
なお、カバー５と第一の配線基板１は複数の箇所で複数のネジ６によって締め付けられており、これら複数のネジ孔５Ｃとネジ用孔１Ｅの仕上がり寸法のバラツキを補正するため、第一の配線基板１のネジ用孔１Ｅはネジ６の外径よりも大きな孔径となっている。
【０００８】
そして、これら第一の配線基板１やボタン体４の左方には、液晶表示素子７を載置した第二の配線基板８が配置され、液晶表示素子７の外形より大きなカバー５の開口部５Ｂから液晶表示素子７が突出すると共に、ネジ９が第二の配線基板８の裏側からネジ９の外径よりも大きなネジ用孔８Ａに挿入され、カバー５のネジ孔５Ｄに締め付けられて、第二の配線基板８がカバー５に固定され、パネルスイッチ１０が構成されている。
【０００９】
以上の構成のパネルスイッチにおいて、図１１に示すように、ボタン体４の操作部４Ａを下方にプッシュ操作すると、下面の突起部４Ｂがドーム状の可動接点２の中央頂点部を押圧して可動接点２が反転し、可動接点２の中央頂点部内面が中央固定接点１Ｂに接触することによって、可動接点２を介した中央固定接点１Ｂと外側固定接点１Ｃの電気的接続が行われ、操作部４Ａへのプッシュ操作力を解除すると、可動接点２の反転復帰力によって、可動接点２の中央頂点部内面が中央固定接点１Ｂと離れてＯＦＦとなり、ボタン体４の操作部４Ａが図９の元の位置に復帰する。
【００１０】
また、図１２はこのようなパネルスイッチ１０を装着した電子機器の断面図であり、同図において、１１は上面に複数の窓孔１１Ａと窓部１１Ｂ、および下面に複数の窪み１１Ｃを設けた電子機器の筐体で、筐体１１の窓孔１１Ａからはボタン体４の操作部４Ａが突出し、窓部１１Ｂ下面には液晶表示素子７が配置されると共に、カバー５上面に設けられた突起５Ｅを筐体１１の窪み１１Ｃに挿入することによって、パネルスイッチ１０が位置決めされて筐体１１に装着されるものであった。
【００１１】
【発明が解決しようとする課題】
しかしながら上記従来のパネルスイッチにおいては、ボタン体４は位置決めボス４Ｅを位置決め孔１Ｄに挿入して第一の配線基板１に位置決めされるのに対し、第一の配線基板１とカバー５の固定は、ネジ６の外径よりも大きなネジ用孔１Ｅにネジ６を挿入して行われるため、図１３に示すように、ネジ用孔１Ｅの中心とネジ６の外径が偏心しずれた状態でネジ６がネジ孔５Ｃに締め付けられると、カバー５の開口孔５Ａとボタン体４の操作部４Ａが偏心して位置ずれが生じてしまい、この位置ずれが甚だしい場合には操作部４Ａが開口孔５Ａに接触してプッシュ操作に支障をきたすという課題があった。
【００１２】
また同様に、第二の配線基板８のネジ用孔８Ａもネジ９の外径より大きく、カバー５の開口部５Ｂも液晶表示素子７の外形より大きいため、第二の配線基板８に載置された液晶表示素子７とカバー５の開口部５Ｂとの間にも位置ずれが生じ、図１４に示すように、このようなパネルスイッチ１０を、カバー５の突起５Ｅを筐体１１の窪み１１Ｃに挿入して電子機器に装着した場合、筐体１１の窓孔１１Ａとボタン体４の操作部４Ａ、および窓部１１Ｂと液晶表示素子７の間にも位置ずれが生じ、電子機器の操作部や表示部の外観上の見映えが悪くなるという課題もあった。
【００１３】
本発明は、このような従来の課題を解決するものであり、ボタン体の操作部や液晶表示素子とカバーの開口孔や開口部との位置ずれがなく、ボタン体の操作や外観上の見映えの良好なパネルスイッチおよびその機器への装着方法を提供することを目的とする。
【００１４】
【課題を解決するための手段】
上記課題を解決するために本発明は、ボタン体の枠体部の上面および下面に位置決めボスを設け、この上下面の位置決めボスをカバーの位置決め孔と第一の配線基板の位置決め孔に挿入し、ボタン体を介して配線基板とカバーの位置決めを行うようにパネルスイッチを構成するものである。
【００１５】
これにより、ボタン体の操作部とカバーの開口孔の位置ずれのないパネルスイッチおよびその機器への装着方法を得ることができる。
【００１６】
【発明の実施の形態】
本発明の請求項１に記載の発明は、上面に配線パターンとスイッチ接点が形成され、位置決め孔およびネジの外径よりも大きなネジ用孔を有する第一の配線基板と、操作部の下面に上記スイッチ接点を押圧する突起部を有する可動部を連結した枠体部の上面および下面に位置決めボスを備えると共に、下面の位置決めボスが上記第一の配線基板の位置決め孔に挿入されて第一の配線基板の上部に配置された絶縁樹脂製のボタン体と、上面に上記ボタン体の操作部が突出した開口孔と上記ボタン体上面の位置決めボスが挿入された位置決め孔、およびネジ孔を備えて上記ボタン体を覆う金属板製のカバーと、上記第一の配線基板のネジ用孔に挿入されて上記カバーのネジ孔に締め付けられ、上記第一の配線基板とボタン体をカバーに固定するネジからなるパネルスイッチであって、位置決め孔およびネジの外径よりも大きなネジ用孔を備えた第二の配線基板を、上記第一の配線基板の側方の上記カバー下面に配置すると共に、上記ボタン体の枠体部の下面および上面に設けた位置決めボスを、上記第二の配線基板の位置決め孔および上記カバーの位置決め孔へ各々挿入し、上記第二の配線基板のネジ用孔に挿入されたネジを、上記カバーに設けたネジ孔に締め付けたパネルスイッチとしたものであり、ボタン体の上下面の位置決めボスをカバーの位置決め孔と第一の配線基板の位置決め孔に挿入し、ボタン体を介して配線基板とカバーの位置決めを行うように構成されているため、ボタン体の操作部とカバーの開口部との位置ずれのないパネルスイッチを得ることができるという作用を有する。
さらに、ボタン体の上下面の位置決めボスを介してカバーと第二の配線基板の位置決めを行っているため、第二の配線基板上に装着された液晶表示素子等の電子部品とカバーの開口部との位置ずれもないパネルスイッチが得られるという作用を有する。
【００１８】
請求項２に記載の発明は、請求項１記載の発明において、ボタン体の枠体部上下面の少なくとも一方の位置決めボスを、根元部に比べ先端部を細径のものとしたものであり、先端部が細径となっているため、カバーや配線基板の位置決め孔へのボタン体の位置決めボスの挿入が容易となり、スイッチの組み立て時間を短縮し安価なものとすることができるという作用を有する。
【００１９】
請求項３に記載の発明は、請求項１または２記載の発明において、ボタン体の枠体部下面の位置決めボスで配線基板の位置を決めると共に、カバー側面の下端に設けられた配線基板固定用の略Ｌ字形または逆Ｔ字形の爪部で配線基板を挟みつけることにより、少ないネジ数で配線基板とボタン体をカバーに固定したものであり、使用するネジの数が少ないため構成部品を減少できると共にスイッチの組み立ても容易となりさらに安価なものとすることができるという作用を有する。
【００２０】
請求項４に記載の発明は、請求項１〜３のいずれか一つに記載のパネルスイッチの、ボタン体の枠体部上面の位置決めボスを、カバー上面から突出させ、この上面に突出した位置決めボスを機器の筐体下面に設けた窪みに挿入して、パネルスイッチと機器との位置決めを行うパネルスイッチの機器への装着方法としたものであり、ボタン体の位置決めボスを用いて機器への位置決めを行うことによって、ボタン体の操作部や液晶表示素子等の位置ずれを生じることなく、使用する機器へパネルスイッチを装着することができるという作用を有する。
【００２１】
以下、本発明の実施の形態について、図１〜図８を用いて説明する。
なお、各断面図は、各々の部品の構成や間隙等が判り易い箇所を断面として表わしている。
【００２２】
また、従来の技術の項で説明した構成と同一構成の部分には同一符号を付して、詳細な説明を省略する。
【００２３】
（実施の形態１）
図１は本発明の第１の実施の形態によるパネルスイッチの側面断面図、図２は同分解斜視図であり、同図において、１は上面に配線パターン１Ａや複数の中央固定接点１Ｂおよび外側固定接点１Ｃが形成された第一の配線基板、２は弾性金属薄板製のドーム状の可動接点、３は下面に粘着剤が塗布された絶縁フィルムで、可動接点２が外周を外側固定接点１Ｃ上に載置され、中央頂点部の内面が中央固定接点１Ｂに対向するように、絶縁フィルム３によって第一の配線基板１に貼り付けられていることや、操作部１６Ａの下面に可動接点２を押圧する突起部１６Ｂを備えた複数の可動部１６Ｃが枠体部１６Ｄに連結された絶縁樹脂製のボタン体１６の下面に、複数の位置決めボス１６Ｅが設けられ、これが第一の配線基板１の複数の位置決め孔１Ｄに挿入されて、ボタン体１６が第一の配線基板１に位置決めされていることは従来の技術の場合と同様であるが、ボタン体１６の枠体部１６Ｄ上面にも位置決めボス１６Ｆが設けられている。
【００２４】
そして、１７は金属板製のカバー、６はネジで、カバー１７の上面には複数の開口孔１７Ａと開口部１７Ｂおよびネジ孔１７Ｃが設けられ、ボタン体１６の操作部１６Ａがカバーの開口孔１７Ａから突出していることも従来の技術の場合と同様であるが、カバー１７には位置決め孔１７Ｄが設けられ、これにボタン体１６の枠体部１６Ｄ上面の位置決めボス１６Ｆが挿入されて、カバー１７とボタン体１６の位置決めが行われると共に、ネジ６が第一の配線基板１の裏側からネジ６の外径よりも大きなネジ用孔１Ｅに挿入され、ボタン体１６の中空のスペーサ部１６Ｇ内を挿通し、カバー１７のネジ孔１７Ｃに締め付けられて、カバー１７がボタン体１６を覆い第一の配線基板１に固定されている。
【００２５】
また、これら第一の配線基板１やボタン体１６の左方には、液晶表示素子７を載置した第二の配線基板８が配置され、液晶表示素子７がカバー１７の開口部１７Ｂから突出すると共に、ボタン体１６の枠体部１６Ｄ左方の下面には位置決めボス１６Ｈ、上面には位置決めボス１６Ｊが設けられ、この上下面の位置決めボス１６Ｈと１６Ｊが第二の配線基板８の位置決め孔８Ｂとカバー１７の位置決め孔１７Ｅに挿入されている。
【００２６】
そして、ネジ９が第二の配線基板８の裏側からその外径よりも大きなネジ用孔８Ａに挿入され、ボタン体１６の中空のスペーサ部１６Ｋ内を挿通し、カバー１７のネジ孔１７Ｆに締め付けられて、第二の配線基板８がカバー１７に固定され、パネルスイッチ１８が構成されている。
【００２７】
以上の構成のパネルスイッチにおいて、図３に示すように、ボタン体１６の操作部１６Ａを下方にプッシュ操作すると、下面の突起部１６Ｂがドーム状の可動接点２の中央頂点部を押圧して可動接点２が反転し、可動接点２の中央頂点部内面が中央固定接点１Ｂに接触することによって、可動接点２を介した中央固定接点１Ｂと外側固定接点１Ｃの電気的接続が行われ、操作部１６Ａへのプッシュ操作力を解除すると、可動接点２の反転復帰力によって、可動接点２の中央頂点部内面が中央固定接点１Ｂと離れてＯＦＦとなり、ボタン体１６の操作部１６Ａが図１の元の位置に復帰することは従来の技術の場合と同様である。
【００２８】
また、図４はこのようなパネルスイッチ１８を装着した電子機器の断面図であり、同図において、１９は上面に複数の窓孔１９Ａと窓部１９Ｂ、および下面に窪み１９Ｃを設けた電子機器の筐体で、筐体１９の窓部１９Ａからはボタン体１６の操作部１６Ａが突出し、窓部１９Ｂ下面には液晶表示素子７が配置されると共に、パネルスイッチ１８はカバー１７上面から突出したボタン体１６の枠体部１６Ｄ上面の位置決めボス１６Ｆを、筐体１９下面の窪み１９Ｃに挿入することによって位置決めされて筐体１９に装着されている。
【００２９】
このように本実施の形態によれば、ボタン体１６の枠体部１６Ｄの上面と下面に位置決めボス１６Ｆと１６Ｅを設け、この上下面の位置決めボス１６Ｆと１６Ｅをカバー１７の位置決め孔１７Ｄと第一の配線基板１の位置決め孔１Ｄに挿入し、ボタン体１６を介して配線基板１とカバー１７の位置決めを行うように構成されているため、ボタン体１６の操作部１６Ａとカバー１７の開口孔１７Ａとの位置ずれのないパネルスイッチを得ることができるものである。
【００３０】
また、ボタン体１６の枠体部１６Ｄ上下面の位置決めボス１６Ｊと１６Ｈによって、カバー１７と液晶表示素子７を載置した第二の配線基板８の位置決めを行っているため、液晶表示素子７とカバー１７の開口部１７Ｂとの位置ずれもなくすることができる。
【００３１】
さらに、ボタン体１６の枠体部１６Ｄ上面の位置決めボス１６Ｆを、カバー１７上面から突出させ、この位置決めボス１６Ｆを使用機器の筐体１９下面に設けた窪み１９Ｃに挿入して、スイッチと機器との位置決めを行うことによって、ボタン体１６の操作部１６Ａや液晶表示素子７の位置ずれを生じることなく、パネルスイッチ１８を電子機器へ装着することができる。
【００３２】
そして、図５に示すように、ボタン体１６の枠体部１６Ｄ上下面の位置決めボス１６Ｆや１６Ｅの少なくとも一方を、根元部に比べ先端部を細径のものとすることによって、カバー１７や第一の配線基板１の位置決め孔１７Ｄや１Ｄへの位置決めボスの挿入が容易となり、スイッチの組み立て時間を短縮し安価なものとすることも可能である。
【００３３】
（実施の形態２）
図６は本発明の第２の実施の形態によるパネルスイッチの分解斜視図であり、同図において、ボタン体１６の枠体部１６Ｄの上面と下面に設けられた位置決めボス１６Ｆと１６Ｅを、カバー２０の位置決め孔２０Ａと第一の配置基板２１の位置決め孔２１Ａに挿入し、ボタン１６を介して第一の配線基板２１とカバー２０の位置決めを行うことや、これらの左方に配置され液晶表示素子７を載置した第二の配線基板８とカバー２０の位置決めを、ボタン体１６上下面の位置決めボス１６Ｊと１６Ｈによって行うことは実施の形態１の場合と同様であるが、カバー２０側面の下端には、下方に突出し配線基板固定用のテーパ付保持部２０Ｂを有する複数の略Ｌ字形の爪部２０Ｃが設けられている。
【００３４】
そして、第一の配線基板２１の側面には、カバー２０の爪部２０Ｃに対応した位置に複数の凹部２１Ｂが設けられると共に、位置決め孔２１Ａは長孔となっており、カバー２０の爪部２０Ｃのテーパ付保持部２０Ｂに第一の配線基板２１の凹部２１Ｂの側部を挿入し、爪部２０Ｃによって第一の配線基板２１を挟みつけて、第一の配線基板２１をカバー２０に固定するように構成されている。
【００３５】
以上のようなパネルスイッチの製作方法について説明すると、先ず、図７（ａ）に示すように、上下面を逆にしたカバー２０へ、位置決め孔２０Ａに位置決めボス１６Ｆを挿入し位置決めしてボタン体１６を装着した後、第一の配線基板２１を可動接点２が貼り付けられた面を下にして、カバー２０の複数の爪部２０Ｃに複数の凹部２１Ｂを嵌め込んで、カバー２０に重ね合わせる。
【００３６】
次に、図７（ｂ）に示すように、第一の配線基板２１をカバー２０に重ね合わせたまま右方向に摺動させ、カバー２０の略Ｌ字形の爪部２０Ｃの配線基板固定用のテーパ付保持部２０Ｂに、第一の配線基板２１の凹部２１Ｂの左側部を挿入し、図７（ｃ）に示すように、テーパ付保持部２０Ｂを第一の配線基板２１裏面に食い込ませ、爪部２０Ｃによって第一の配線基板２１を挟みつけてカバー２０に固定し、パネルスイッチが完成する。
【００３７】
なお、この時、ボタン体１６の枠体部１６Ｄ下面の位置決めボス１６Ｅは、図７（ｂ）に示す状態では、第一の配線基板２１の位置決め孔２１Ａが長孔であるためフリーとなっているが、第一の配線基板２１を右方向に摺動すると、図７（ｃ）に示すように、位置決め孔２１Ａの左端が位置決めボス１６Ｅに当接し、この位置でボタン体１６を介して、第一の配線基板２１とカバー２０の位置決めが行われるように構成されている。
【００３８】
このように本実施の形態によれば、略Ｌ字形の爪部２０Ｃに凹部２１Ｂの側部を挿入し、爪部２０Ｃによって第一の配線基板２１を挟みつけてカバー２０に固定しているため、ネジが不要となり構成部品数が少なくなると共に、スイッチの組み立ても容易となり安価なものとすることができるものである。
【００３９】
なお、上記のように、爪部２０Ｃで第一の配線基板２１を挟みつけることでも、通常の使用に耐える強度は充分得られるが、さらにいくつかの爪部２０Ｃを内側に折り曲げたり、あるいは１〜２個所程度ネジで締め付けることによって、第一の配線基板２１とカバー２０の固定をより確実なものとすることもできる。
【００４０】
さらに、カバー２０側面の下端の爪部を略Ｔ字形として両側に爪部を設け、配線基板を摺動して一方の爪部で配線基板を挟みつけた後、他方の爪部を折り曲げて配線基板を確実に固定するようにしてもよいものである。
【００４１】
また、以上の説明ではスイッチ接点を、弾性金属薄板製の可動接点２を粘着剤が塗布された絶縁フィルム３によって、第一の配線基板１や２１に貼り付けた構成として説明したが、これに代えて、可撓性を有する絶縁フィルムや弾性ゴムをドーム状に成形し、この内面に接点を設けた可動接点を第一の配線基板１や２１に載置したものや、あるいは図８に示すように、第一の配線基板１や２１に単独のプッシュスイッチ２２を実装したもの等、様々な構成のスイッチ接点においても本発明の実施が可能なことは勿論である。
【００４２】
【発明の効果】
以上のように本発明によれば、ボタン体の操作部とカバーの開口孔の位置ずれのないパネルスイッチおよびその機器への装着方法を得ることができるという有利な効果が得られる。
【図面の簡単な説明】
【図１】本発明の第１の実施の形態によるパネルスイッチの側面断面図
【図２】同分解斜視図
【図３】同プッシュ操作時の断面図
【図４】同電子機器の断面図
【図５】同要部断面図
【図６】本発明の第２の実施の形態によるパネルスイッチの分解斜視図
【図７】同製作方法を示す部分断面図
【図８】同他の実施の形態による断面図
【図９】従来のパネルスイッチの側面断面図
【図１０】同分解斜視図
【図１１】同プッシュ操作時の断面図
【図１２】同電子機器の断面図
【図１３】同位置ずれ状態を示す断面図
【図１４】同電子機器の断面図
【符号の説明】
１，２１  第一の配線基板
１Ａ  配線パターン
１Ｂ  中央固定接点
１Ｃ  外側固定接点
１Ｄ，２１Ａ  位置決め孔
１Ｅ  ネジ用孔
２  可動接点
３  絶縁フィルム
６，９  ネジ
７  液晶表示素子
８  第二の配線基板
８Ａ  ネジ用孔
８Ｂ  位置決め孔
１６  ボタン体
１６Ａ  操作部
１６Ｂ  突起部
１６Ｃ  可動部
１６Ｄ  枠体部
１６Ｅ，１６Ｆ，１６Ｈ，１６Ｊ  位置決めボス
１６Ｇ，１６Ｋ  スペーサ部
１７，２０  カバー
１７Ａ  開口孔
１７Ｂ  開口部
１７Ｃ，１７Ｆ  ネジ孔
１７Ｄ，１７Ｅ，２０Ａ  位置決め孔
１８  パネルスイッチ
１９  筐体
１９Ａ  窓孔
１９Ｂ  窓部
１９Ｃ  窪み
２０Ｂ  テーパ付保持部
２０Ｃ  爪部
２１Ｂ  凹部
２２  プッシュスイッチ
【図１】
0003896707.tif 000002
【図２】
0003896707.tif 000003
【図３】
0003896707.tif 000004
【図４】
0003896707.tif 000005
【図５】
0003896707.tif 000006
【図６】
0003896707.tif 000007
【図７】
0003896707.tif 000008
【図８】
0003896707.tif 000009
【図９】
0003896707.tif 000010
【図１０】
0003896707.tif 000011
【図１１】
0003896707.tif 000012
【図１２】
0003896707.tif 000013
【図１３】
0003896707.tif 000014
【図１４】
0003896707.tif 000015